(57)【要約】      （修正有）【課題】再生時の音量を変えることなく、突然の大音量による視聴者の負担を低減する。【解決手段】映像音声処理装置３は、入力された映像データ信号Ｄａ１を一定の再生時間Ｔａ分蓄積し順次出力する映像バッファ部１０と、入力された音声データ信号Ｄｂを前記一定の再生時間Ｔａ分蓄積し順次出力する音声バッファ部１１と、再生時間Ｔａ経過後に音声バッファ部１１から出力される音声データ信号Ｄｂの音量を示す音量レベルを検出する音量検出部１２と、音量検出部１２によって検出された音量レベルに応じて、大音量出力を警告する警告表示データを生成する警告表示データ生成部１３と、その警告表示データを、該警告表示データの生成の元となった音声データ信号Ｄｂが、音声バッファ部１１から出力されるときよりも先に、映像バッファ部１０から出力される映像データ信号Ｄａ１に合成し出力する映像合成部１４とを備える構成とした。【選択図】図１
2008228005.tif 000002
【特許請求の範囲】
【請求項１】
入力された映像データを一定の再生時間分蓄積し順次出力する映像バッファ部と、
前記映像データと同期して入力された音声データを前記一定の再生時間分蓄積し順次出
力する音声バッファ部と、
前記音声バッファ部に入力され、前記一定の再生時間経過後に前記音声バッファ部から
出力される前記音声データの音量である音量レベルを検出する音量検出部と、
前記音量検出部によって検出された前記音量レベルに応じて、大音量出力を警告する警
告表示の警告表示データを取得する警告表示データ取得部と、
前記警告表示データ取得部によって取得された前記警告表示データを、前記警告表示デ
ータの取得の元となった前記音声データが前記音声バッファ部から出力されるよりも先に
前記映像バッファ部から出力される前記映像データに合成する映像合成部と
を備えたことを特徴とする映像音声処理装置。
【請求項２】
請求項１に記載の映像音声処理装置において、
前記警告表示データ取得部は、前記音量検出部により検出された前記音量レベルに基づ
いて、前記音量レベルの所定時間あたりの変動量である音量レベル変動量を算出し、前記
音量レベル変動量が所定の閾値以上である場合に、前記警告表示データを取得することを
特徴とする映像音声処理装置。
【請求項３】
請求項２に記載の映像音声処理装置において、
前記警告表示データ取得部は、前記音量レベル変動量の大きさを識別可能な前記警告表
示データを取得することを特徴とする映像音声処理装置。
【請求項４】
請求項１乃至３のいずれかに記載の映像音声処理装置において、
前記音量検出部は、前記音声バッファ部から出力された前記音声データをフーリエ変換
し、周波数帯域ごとの音量レベルデータに変換するフーリエ変換器と、
人の聴覚における周波数特性値を保持する周波数特性テーブルと、
前記周波数帯域ごとの音量レベルデータのそれぞれについて、前記周波数特性値を乗算
する乗算器と、
前記乗算器による演算結果を加算し、前記音量レベルデータの総和を算出する加算器と
、
前記加算器による演算結果から、前記音量レベルの所定時間あたりの変動量の高周波成
分を除去するローパスフィルタと、
を備えることを特徴とする映像音声処理装置。
【請求項５】
映像データ及び音声データを出力するデータ出力装置と、前記映像データに基づいて映
像を表示する表示装置と、前記音声データに基づいて音声を出力する音声出力装置とを有
した映像音声再生システムであって、
前記データ出力装置から出力された前記映像データを一定の再生時間分蓄積し順次出力
する映像バッファ部と、
前記データ出力装置から前記映像データと同期して出力された前記音声データを前記一
定の再生時間分蓄積し順次出力する音声バッファ部と、
前記音声バッファ部に入力され、前記一定の再生時間経過後に前記音声バッファ部から
出力される前記音声データの音量である音量レベルを検出する音量検出部と、
前記音量検出部によって検出された前記音量レベルに応じて、大音量出力を警告する警
告表示の警告表示データを生成する警告表示データ生成部と、
前記警告表示データ生成部によって生成された前記警告表示データを、前記警告表示デ
ータの生成の元となった前記音声データが前記音声バッファ部から出力されるよりも先に
前記映像バッファ部から出力される前記映像データに合成する映像合成部と、
前記映像合成部から出力された前記映像データを前記表示装置に出力する映像出力部と
、
前記音声バッファ部から出力された前記音声データを前記音声出力装置に出力する音声
出力部とを備えたことを特徴とする映像音声再生システム。
【請求項６】
映像バッファ部と音声バッファ部と音量検出部と警告表示データ取得部と映像合成部を
備える映像音声処理装置を用いた映像音声処理方法であって、
前記映像バッファ部が、入力された映像データを一定の再生時間分蓄積し順次出力する
第１過程と、
前記音声バッファ部が、前記映像データと同期して入力された音声データを前記一定の
再生時間分蓄積し順次出力する第２過程と、
前記音声検出部が、前記第２過程において前記音声バッファ部に入力され、前記一定の
再生時間経過後に前記音声バッファ部から出力される前記音声データの音量である音量レ
ベルを検出する第３過程と、
前記警告表示データ取得部が、前記第３過程によって検出された前記音量レベルに応じ
て、大音量出力を警告する警告表示の警告表示データを取得する第４過程と、
前記映像合成部が、前記第４過程によって取得された前記警告表示データを、前記警告
表示データの取得の元となった前記音声データが前記音声バッファ部から出力されるより
も先に前記映像バッファ部から出力される前記映像データに合成する第５過程と
を有することを特徴とする映像音声処理方法。
【請求項７】
入力された映像データを一定の再生時間分蓄積し順次出力する映像バッファ部と、前記
映像データと同期して入力された音声データを前記一定の再生時間分蓄積し順次出力する
音声バッファ部とを備えたコンピュータを、
前記音声バッファ部に入力され、前記一定の再生時間経過後に前記音声バッファ部から
出力される前記音声データの音量である音量レベルを検出する音量検出手段、
前記音量検出手段によって検出された前記音量レベルに応じて、大音量出力を警告する
警告表示の警告表示データを取得する警告表示データ取得手段、及び、
前記警告表示データ取得手段によって取得された前記警告表示データを、前記警告表示
データの取得の元となった前記音声データが前記音声バッファ部から出力されるよりも先
に前記映像バッファ部から出力される前記映像データに合成する映像合成手段
として機能させることを特徴とする映像音声処理プログラム。
【発明の詳細な説明】
【技術分野】
【０００１】
本発明は、例えばテレビチューナや、ＨＤＤレコーダー、ＤＶＤプレイヤー等から出力
される映像信号及び音声信号を処理する映像音声処理装置、映像音声再生システム、映像
音声処理方法、及び、映像音声処理プログラムに関する。
【背景技術】
【０００２】
一般に、ＤＶＤやデジタル放送のコンテンツ、特に映画などのコンテンツでは、音量を
大きく変動させて映像の迫力を表現する手法が使用されている。
しかしながら、突然音量が大きくなると、視聴者に対して精神的にも身体的にも大きな
衝撃を与え、視聴者が例えば心臓疾患を煩っている場合には、その視聴者に悪影響を与え
る恐れがある。
【０００３】
一方、従来、突発的な大音量出力を防止する技術が種々検討されている。この種の技術
としては、例えば、音量監視手段により音量レベルを監視し、所定の音量レベル以上であ
れば自動で音声信号を遮断して過大音量がスピーカから出力されることを防止する技術（
例えば、特許文献１参照）や、また例えば、予め設定された最大音量値と、ボリューム操
作による設定音量値とを比較し、ボリューム操作による設定音量値が最大音量値よりも大
きい場合は音量を最大音量値に制限することで、ボリューム操作時の突発的な大音量の出
力を防止する技術（例えば、特許文献２参照）などがある。
【特許文献１】特開平７−２２６６３０号公報
【特許文献２】特開２００１−１９６９５９号公報
【発明の開示】
【発明が解決しようとする課題】
【０００４】
しかしながら、上記の技術を用いて、コンテンツの視聴再生時に、突発的な大音量の音
声出力を防止する構成とすると、コンテンツ映像の迫力が損なわれたり、違和感が生じた
りするといった問題がある。また大音量を防止すべく音声信号レベルを自動で全体的に下
げたりすると、元から音声信号レベルが低いシーンでは音声が聞き取り難くなるといった
問題もある。
【０００５】
本発明は、上述した事情に鑑みてなされたものであり、再生時の音量を変えることなく
、突然の大音量による視聴者の負担を低減することができる映像音声処理装置、映像音声
再生システム、映像音声処理方法、及び、映像音声処理プログラムを提供することを目的
とする。
【課題を解決するための手段】
【０００６】
〔形態１〕  上記目的を達成するために、形態１の映像音声処理装置は、入力された映
像データを一定の再生時間分蓄積し順次出力する映像バッファ部と、前記映像データと同
期して入力された音声データを前記一定の再生時間分蓄積し順次出力する音声バッファ部
と、前記音声バッファ部に入力され、前記一定の再生時間経過後に前記音声バッファ部か
ら出力される前記音声データの音量である音量レベルを検出する音量検出部と、前記音量
検出部によって検出された前記音量レベルに応じて、大音量出力を警告する警告表示の警
告表示データを取得する警告表示データ取得部と、前記警告表示データ取得部によって取
得された前記警告表示データを、前記警告表示データの取得の元となった前記音声データ
が前記音声バッファ部から出力されるよりも先に前記映像バッファ部から出力される前記
映像データに合成する映像合成部とを備えたことを特徴とする。
【０００７】
このような構成によれば、再生される音声データの音量レベルが検出され、その音量レ
ベルに応じて大音量出力を警告する警告表示が、実際に大音量が出力されるよりも前に表
示される。これにより、大音量出力が事前に視聴者へ視覚を通して通知され、視聴者の精
神的・身体的な苦痛・衝撃を和らげ負担を軽くすることができる。
また、再生時の音量を変えることがないため、コンテンツの迫力を損なうことがない。
【０００８】
〔形態２〕  形態２の映像音声処理装置は、形態１の映像音声処理装置において、前記
警告表示データ取得部は、前記音量検出部により検出された前記音量レベルに基づいて、
前記音量レベルの所定時間あたりの変動量である音量レベル変動量を算出し、前記音量レ
ベル変動量が所定の閾値以上である場合に、前記警告表示データを取得することを特徴と
する。
【０００９】
このような構成によれば、音量の絶対的な値（固定値）ではなく、音量の時間的な変動
量に基づいて、上記警告表示が表示される。
一般に、ある程度の大音量でも、小音量から大音量になる時間が長く、比較的緩やかに
音量が変化する場合には、大音量の出力であっても、視聴者が驚くことはない。
したがって、音量の絶対的な値に基づいて警告表示の有無を判断する構成においては、
大音量出力時には常に警告表示が行われるため、上記のように、視聴者が驚く事のない状
況にもかかわらず無駄な警告表示が行われることとなり、動画の視聴を害する。
これに対して、音量の時間的な変動量に基づいて警告表示の有無を決定することで、突
発的に音量が大きくなる場合にだけ警告表示が行われるため、動画の視聴が害されること
がない。
【００１０】
〔形態３〕  形態３の映像音声処理装置は、形態２の映像音声処理装置において、前記
警告表示データ取得部は、前記音量レベル変動量の大きさを識別可能な前記警告表示デー
タを取得することを特徴とする。
このような構成によれば、視聴者は、大音量が出力される事と共に、どの程度の音量が
出力されるかを事前に察知することができる。
【００１１】
〔形態４〕  形態４の映像音声処理装置は、形態１乃至３のいずれかの映像音声処理装
置において、前記音量検出部は、前記音声バッファ部から出力された前記音声データをフ
ーリエ変換し、周波数帯域ごとの音量レベルデータに変換するフーリエ変換器と、人の聴
覚における周波数特性値を保持する周波数特性テーブルと、前記周波数帯域ごとの音量レ
ベルデータのそれぞれについて、前記周波数特性値を乗算する乗算器と、前記乗算器によ
る演算結果を加算し、前記音量レベルデータの総和を算出する加算器と、前記加算器によ
る演算結果から、前記音量レベルの所定時間あたりの変動量の高周波成分を除去するロー
パスフィルタとを備えることを特徴とする。
このような構成によれば、一般的な人の聴覚における周波数特性を反映した音量レベル
が検出され、視聴者が大音量と実際に感じる音量レベルに基づいて、警告表示を出すこと
ができる。
【００１２】
〔形態５〕  上記目的を達成するために、形態５の映像音声再生システムは、映像デー
タ及び音声データを出力するデータ出力装置と、前記映像データに基づいて映像を表示す
る表示装置と、前記音声データに基づいて音声を出力する音声出力装置とを有した映像音
声再生システムであって、前記データ出力装置から出力された前記映像データを一定の再
生時間分蓄積し順次出力する映像バッファ部と、前記データ出力装置から前記映像データ
と同期して出力された前記音声データを前記一定の再生時間分蓄積し順次出力する音声バ
ッファ部と、前記音声バッファ部に入力され、前記一定の再生時間経過後に前記音声バッ
ファ部から出力される前記音声データの音量である音量レベルを検出する音量検出部と、
前記音量検出部によって検出された前記音量レベルに応じて、大音量出力を警告する警告
表示の警告表示データを生成する警告表示データ生成部と、前記警告表示データ生成部に
よって生成された前記警告表示データを、前記警告表示データの生成の元となった前記音
声データが前記音声バッファ部から出力されるよりも先に前記映像バッファ部から出力さ
れる前記映像データに合成する映像合成部と、前記映像合成部から出力された前記映像デ
ータを前記表示装置に出力する映像出力部と、前記音声バッファ部から出力された前記音
声データを前記音声出力装置に出力する音声出力部とを備えたことを特徴とする。
【００１３】
このような構成によれば、再生される音声データの音量レベルが検出され、その音量レ
ベルに応じて大音量出力を警告する警告表示が、実際に大音量が出力されるよりも前に表
示装置に表示される。これにより、大音量出力が事前に視聴者へ視覚を通して通知され、
視聴者の精神的・身体的な苦痛・衝撃を和らげ負担を軽くすることができる。
また、再生時の音量を変えることがないため、コンテンツの迫力を損なうことがない。
【００１４】
〔形態６〕  上記目的を達成するために、形態６の映像音声処理方法は、映像バッファ
部と音声バッファ部と音量検出部と警告表示データ取得部と映像合成部を備える映像音声
処理装置を用いた映像音声処理方法であって、前記映像バッファ部が、入力された映像デ
ータを一定の再生時間分蓄積し順次出力する第１過程と、前記音声バッファ部が、前記映
像データと同期して入力された音声データを前記一定の再生時間分蓄積し順次出力する第
２過程と、前記音声検出部が、前記第２過程において前記音声バッファ部に入力され、前
記一定の再生時間経過後に前記音声バッファ部から出力される前記音声データの音量であ
る音量レベルを検出する第３過程と、前記警告表示データ取得部が、前記第３過程によっ
て検出された前記音量レベルに応じて、大音量出力を警告する警告表示の警告表示データ
を取得する第４過程と、前記映像合成部が、前記第４過程によって取得された前記警告表
示データを、前記警告表示データの取得の元となった前記音声データが前記音声バッファ
部から出力されるよりも先に前記映像バッファ部から出力される前記映像データに合成す
る第５過程とを有することを特徴とする。
この映像音声処理方法によれば、形態１の映像音声処理装置と同等の効果が得られる。
【００１５】
〔形態７〕  上記目的を達成するために、形態７の映像音声処理プログラムは、入力さ
れた映像データを一定の再生時間分蓄積し順次出力する映像バッファ部と、前記映像デー
タと同期して入力された音声データを前記一定の再生時間分蓄積し順次出力する音声バッ
ファ部とを備えたコンピュータを、前記音声バッファ部に入力され、前記一定の再生時間
経過後に前記音声バッファ部から出力される前記音声データの音量である音量レベルを検
出する音量検出手段、前記音量検出手段によって検出された前記音量レベルに応じて、大
音量出力を警告する警告表示の警告表示データを取得する警告表示データ取得手段、及び
、前記警告表示データ取得手段によって取得された前記警告表示データを、前記警告表示
データの取得の元となった前記音声データが前記音声バッファ部から出力されるよりも先
に前記映像バッファ部から出力される前記映像データに合成する映像合成手段として機能
させることを特徴とする。
この映像音声処理プログラムによれば、コンピュータによってプログラムが読み取られ
、読み取られたプログラムにしたがってコンピュータが処理を実行すると、形態１の映像
音声処理装置と同等の作用及び効果が得られる。
【００１６】
〔形態８〕  上記目的を達成するために、形態８の記録媒体は、入力された映像データ
を一定の再生時間分蓄積し順次出力する映像バッファ部と、前記映像データと同期して入
力された音声データを前記一定の再生時間分蓄積し順次出力する音声バッファ部とを備え
たコンピュータを、前記音声バッファ部に入力され、前記一定の再生時間経過後に前記音
声バッファ部から出力される前記音声データの音量である音量レベルを検出する音量検出
手段、前記音量検出手段によって検出された前記音量レベルに応じて、大音量出力を警告
する警告表示の警告表示データを取得する警告表示データ取得手段、及び、前記警告表示
データ取得手段によって取得された前記警告表示データを、前記警告表示データの取得の
元となった前記音声データが前記音声バッファ部から出力されるよりも先に前記映像バッ
ファ部から出力される前記映像データに合成する映像合成手段として機能させる映像音声
処理プログラムを記録したコンピュータ読取可能な記録媒体であることを特徴とする。
この記録媒体によれば、コンピュータによってプログラムが記録媒体から読み取られ、
読み取られたプログラムにしたがってコンピュータが処理を実行すると、形態１の映像音
声処理装置と同等の作用及び効果が得られる。
ここで、記録媒体とは、ＲＡＭ、ＲＯＭ等の半導体記録媒体、ＦＤ、ＨＤ等の磁気記憶
型記録媒体、ＣＤ、ＣＤＶ、ＬＤ、ＤＶＤ等の光学的読取方式記録媒体、ＭＯ等の磁気記
録型／光学的読取方式記録媒体であって、電子的、磁気的、光学的等の読み取り方法のい
かんにかかわらず、コンピュータで読み取り可能な記録媒体であれば、どのような記録媒
体であってもよい。
【発明を実施するための最良の形態】
【００１７】
以下、図面を参照して本発明の実施形態について説明する。
図１は本実施形態に係る映像音声再生システム１の機能的構成を示すブロック図である
。
映像音声再生システム１は、例えばテレビ放送によって放送された番組や、ＤＶＤやビ
デオテープなどの記録媒体に記録された映画やライブ映像といった、映像および音声を含
む各種の動画のコンテンツを再生するものであり、図１に示すように、コンテンツデータ
出力装置２、映像音声処理装置３、表示装置４及び音声出力装置５を有している。
【００１８】
コンテンツデータ出力装置２は、上記コンテンツの映像データ信号Ｄａ１と、この映像
データ信号Ｄａ１と同期して再生される音声データ信号Ｄｂとを映像音声処理装置３に出
力するものであり、例えばデジタル／アナログテレビ放送の受信チューナ装置、ネットワ
ーク配信されているマルチメディアデータを受信するコンピュータといったコンテンツの
データを受信する装置、或いは、ビデオプレイヤーやＤＶＤプレイヤーなどの記録媒体に
記録されたコンテンツのデータを読み取って再生する装置を備えて構成されている。
【００１９】
映像音声処理装置３は、コンテンツの再生中に音量が大きく変動する場合、突発的な大
音量出力を警告する警告表示を事前に表示装置４に表示するものであり、該警告表示を含
む映像データ信号Ｄａ２を表示装置４に出力し、また、映像データ信号Ｄａ２に同期して
再生する音声データ信号Ｄｂを音声出力装置５に出力する。なお、この映像音声処理装置
３の詳細な構成については後に詳述する。
【００２０】
表示装置４は、映像データ信号Ｄａ２に基づいて、コンテンツの映像を表示する装置で
あり、例えば投写装置やテレビモニタなどの任意の装置を用いることが可能である。
音声出力装置５は、音声データ信号Ｄｂに基づいて音声を出力するものであり、例えば
、音声データ信号Ｄｂの音声信号レベルを可変してアナログ音声信号を出力するアンプ装
置と、このアンプ装置から出力されたアナログ音声信号に応じて音声を出力するスピーカ
装置とを備えている。
なお、表示装置４及び音声出力装置５は、スピーカ装置付きの一般的なテレビモニタ装
置として構成されていても良い。
【００２１】
上記映像音声処理装置３の構成について詳述すると、映像音声処理装置３は、映像バッ
ファ部１０と、音声バッファ部１１と、音量検出部１２と、警告表示データ生成部１３と
、映像合成部１４と、映像出力部１５と、音声出力部１６とを備えている。
映像バッファ部１０は、バッファメモリを有し、コンテンツデータ出力装置２から入力
された映像データ信号Ｄａ１を、一定の再生時間Ｔａ分（例えば０．５秒分）だけ一時的
にバッファリング（蓄積）し、映像合成部１４に順次出力するものであり、このバッファ
リング動作により、映像データ信号Ｄａ１の入力タイミングと、表示装置４への出力タイ
ミングとの間に一定の再生時間Ｔａ分だけの遅延を生じさせている。
【００２２】
音声バッファ部１１は、バッファメモリを有し、上記映像データ信号Ｄａ１と同期して
コンテンツデータ出力装置２から入力された音声データ信号Ｄｂを、上記一定の再生時間
Ｔａ分だけ一時的にバッファリングして音声出力部１６に順次出力するものであり、上記
映像バッファ部１０と同様に、バッファリング動作によって、音声データ信号Ｄｂの入力
タイミングと、音声出力装置５への出力タイミングとの間に、上記一定の再生時間Ｔａ分
だけの遅延を生じさせている。
音量検出部１２は、音声データ信号Ｄｂに基づいて、音声出力時の音量の指標を示す音
量レベルを検出し、音量レベル検出信号Ｅを警告表示データ生成部１３に出力するもので
あり、その具体的な構成については後に詳述する。
【００２３】
ここで、上記音声バッファ部１１は、音声データ信号Ｄｂをバッファリングするときに
該音声データ信号Ｄｂを音量検出部１２にも出力しており、音声データ信号Ｄｂがバッフ
ァリングされている上記一定の再生時間Ｔａの間に、音量検出部１２によって、該音声デ
ータ信号Ｄｂに対する音量レベルの検出が行われ、音量レベル検出信号Ｅが警告表示デー
タ生成部１３に出力される。一般に、スピーカ装置から出力される音声の音量は、上記音
量レベルに、アンプ装置による信号増幅率を乗じたものであるから、上記音量レベルが音
声出力時の音量の指標を示すことになる。
【００２４】
警告表示データ生成部１３は、音量検出部１２から出力された音量レベル検出信号Ｅに
応じて、大音量出力を警告する警告表示Ｇ（図４参照）の警告表示データを生成し、映像
合成部１４に出力する。
詳述すると、警告表示データ生成部１３には、音量検出部１２から所定の単位時間（例
えば１００ｍｓ程度）ごとに音量レベル検出信号Ｅが入力されている。警告表示データ生
成部１３は、音量レベル検出信号Ｅが入力されるごとに、今回入力された音量レベル検出
信号Ｅの音量レベルから１回前に入力された音量レベル検出信号Ｅの音量レベルを差し引
いて、所定時間（単位時間）あたりの音量レベルの時間的変動量である音量レベル変動量
ΔＡを算出する。この音量レベル変動量ΔＡにより、出力音量がどの程度増減するかが示
される。
また、警告表示データ生成部１３は、音量レベル変動量ΔＡを算出すると、この音量レ
ベル変動量ΔＡと所定の音量レベル変動量閾値ΔＡｔｈとを比較する。そして警告表示デ
ータ生成部１３は、音量レベル変動量ΔＡが音量レベル変動量閾値ΔＡｔｈ以上である場
合、上記警告表示のデータである警告表示データを生成し、映像合成部１４に出力する。
【００２５】
ここで、本実施形態では、上記音量レベル変動量閾値ΔＡｔｈは１つの値ではなく３つ
の音量レベル変動量閾値ΔＡｔｈ１〜ΔＡｔｈ３が設定されている。これらの音量レベル
変動量閾値ΔＡｔｈ１〜ΔＡｔｈ３は、その値がΔＡｔｈ１＜ΔＡｔｈ２＜ΔＡｔｈ３と
なるように設定されている。最小の値である音量レベル変動量閾値ΔＡｔｈ１は、視聴者
に精神的或いは身体的負担を与え得る最小の音量レベルの変動量であり、予め実験などに
より求められている。
【００２６】
警告表示データ生成部１３は、音量レベル変動量ΔＡと上記音量レベル変動量閾値ΔＡ
ｔｈ１〜ΔＡｔｈ３を比較して、音量レベル変動量ΔＡが越えている音量レベル変動量閾
値ΔＡｔｈを特定し、その特定された音量レベル変動量閾値ΔＡｔｈに応じて表示態様の
異なる第１〜第３警告表示Ｇ１〜Ｇ３（図４参照）の警告表示データを生成する。
具体的には、警告表示データ生成部１３は、音量レベル変動量ΔＡが大きくなるにした
がって、その変動量の大きさを示す警告表示の警告表示データを生成する。この警告表示
により音量がどの程度大きくなるかを視聴者に通知することができる。
【００２７】
なお、警告表示データ生成部１３は、上記警告表示データをリアルタイムに生成してい
る訳ではなく、上記音量レベル変動量閾値ΔＡｔｈ１〜ΔＡｔｈ３の各々ごとに警告表示
データを予め対応付けて記憶しており、音量レベル変動量ΔＡとの比較によって特定され
た音量レベル変動量閾値ΔＡｔｈに対応する警告表示データを取得し、この警告表示デー
タを映像合成部１４に出力する。
また音量レベル変動量閾値ΔＡｔｈの数は１つ以上であれば任意の数だけ設定可能であ
る。
【００２８】
映像合成部１４は、映像バッファ部１０から現時点で出力されている映像データ信号Ｄ
ａ１に警告表示データを合成して、上記警告表示を含む映像データ信号Ｄａ２を生成し、
映像出力部１５に出力する。この警告表示を含む映像データ信号Ｄａ２の出力は、少なく
とも、警告表示の生成の元となった音声データ信号Ｄｂが出力されるまで、すなわち、大
音量が出力されるタイミングまで継続される。
【００２９】
ここで、映像合成部１４が映像データ信号Ｄａ１に合成した警告表示データは、上記一
定の再生時間Ｔａ経過後に音声バッファ部１１から出力される音声データ信号Ｄｂに対す
るものであり、この警告表示データが現時点で映像バッファ部１０から出力されている映
像データ信号Ｄａ１に合成されて出力されることになるため、突発的に大音量が出力され
るタイミングに対して、最大で上記一定の再生時間Ｔａだけ早いタイミングで上記警告表
示を含む映像データ信号Ｄａ２が出力されることとなる。
したがって、映像バッファ部１０及び音声バッファ部１１がバッファリングするデータ
の再生時間（データ量）を大きくすることで、視聴者の視認性などに基づいて警告表示を
出力するタイミングをより早めたりする等の調整が可能である。
なお、音量レベル変動量ΔＡが音量レベル変動量閾値ΔＡｔｈ１に満たない場合には、
警告表示データ生成部１３から警告表示データが出力されないため、映像合成部１４から
出力される映像データ信号Ｄａ２は映像データ信号Ｄａ１と同じになる。
【００３０】
映像出力部１５は、表示装置４に対して映像データ信号Ｄａ２を出力するものであり、
表示装置４との接続インターフェースとして機能する。
音声出力部１６は、音声出力装置５に対して、上記映像データ信号Ｄａ２と同期して再
生される音声データ信号Ｄｂを出力するものであり、音声出力装置５との接続インターフ
ェースとして機能する。
【００３１】
なお映像音声処理装置３は、演算実行手段としてのＣＰＵや、記憶手段としてのＲＯＭ
、ＣＰＵのワークエリアとして機能するＲＡＭ、コンテンツデータ出力装置２、表示装置
４及び音声出力装置５ごとの接続インターフェース等を有し、上記ＲＯＭに格納されてい
る映像音声処理プログラムを実行することで、上述した各部の機能が実現される構成とし
ても良いし、また、各部を専用のハードウェアにて構成しても良い。
【００３２】
図２は上記音量検出部１２の機能的構成を示す図である。
音量検出部１２は、フーリエ変換器２０と、周波数特性テーブル２１と、乗算器２２と
、加算器２３と、ローパスフィルタ２４とを有している。
フーリエ変換器２０は、音声バッファ部１１から入力された音声データ信号Ｄｂをフー
リエ変換し、単位時間（例えば１００ｍｓ）あたりに周波数帯域ごとの音量レベルデータ
に変換し、乗算器２２に出力する。
周波数特性テーブル２１は、一般的な人の聴覚における周波数特性値を保持したテーブ
ルデータであり、この周波数特性値を乗算器２２に出力する。
乗算器２２は、フーリエ変換器２０から出力された周波数帯域ごとの音量レベルデータ
のそれぞれごとに、周波数特性テーブル２１から出力された周波数特性値を乗算し、加算
器２３に出力する。
このように、コンテンツの音声データ信号Ｄｂに対して、一般的な人の聴覚における周
波数特性を反映した音量レベルを算出することで、視聴者がコンテンツ視聴時に実際に感
じる音量レベルを正確に算出することができる。
【００３３】
加算器２３は、乗算器２２から出力された周波数帯域ごとの音量レベルデータを加算し
、音量レベルの総和を算出しローパスフィルタ２４に出力する。上記のように、フーリエ
変換器２０が単位時間（例えば１００ｍｓ）あたりの音量レベルデータを出力するため、
加算器２３からも同じく単位時間（例えば１００ｍｓ）ごとに音量レベルの算出結果がロ
ーパスフィルタ２４に出力される。
ローパスフィルタ２４は、大音量と検知するべきではない非常に短時間の（スパイク的
な）音量変動やノイズによって誤って警告表示が表示されないようにするために、音量変
動の高周波成分を除去し、音量レベル検出信号Ｅとして警告表示データ生成部１３に出力
する。
【００３４】
次いで、本実施形態の動作として、コンテンツの映像及び音声を再生する際の映像音声
処理装置３の動作について説明する。
上述の通り、映像音声処理装置３は、コンテンツデータ出力装置２から映像データ信号
Ｄａ１と、この映像データ信号Ｄａ１に同期する音声データ信号Ｄｂが入力されると、映
像データ信号Ｄａ１を映像バッファ部１０にバッファリングすると共に、音声データ信号
Ｄｂを音声バッファ部１１にバッファリングする。
【００３５】
映像音声処理装置３は、音声バッファ部１１への音声データ信号Ｄｂのバッファリング
が開始されると、コンテンツの再生の間、音量が急激に大きくなる場合に事前に警告表示
を表示するための音量事前警告処理を開始する。
図３は、音量事前警告処理のフローチャートである。
この音量事前警告処理において、音量検出部１２は、映像音声処理装置３に入力されて
いる音声データ信号Ｄｂに基づいて、単位時間（例えば１００ｍｓ）あたりの音量レベル
を検出し、音量レベル検出信号Ｅを警告表示データ生成部１３に出力する（ステップＳ１
）。
【００３６】
次いで、警告表示データ生成部１３は、音量検出部１２から音量レベル検出信号Ｅが入
力されるごとに、今回入力された音量レベル検出信号Ｅの音量レベルと、１回前に入力さ
れた音量レベル検出信号Ｅの音量レベルとの差である音量レベル変動量ΔＡを算出する（
ステップＳ２）。
そして警告表示データ生成部１３は、音量レベル変動量ΔＡが、警告表示を要する程度
の変動量であるか否かを判断するために、音量レベル変動量閾値ΔＡｔｈ１〜ΔＡｔｈ３
の中で最小の値である音量レベル変動量閾値ΔＡｔｈ１よりも音量レベル変動量ΔＡが小
さいか否かを判断し（ステップＳ３）、小さい場合には（ステップＳ３：Ｙｅｓ）、警告
表示を要しない程度の音声変動量であるため、既に警告表示が表示されていればその警告
表示を消去した後（ステップＳ４）、音量レベル変動を監視すべく、ステップＳ１から処
理を繰り返す。
【００３７】
一方、音量レベル変動量ΔＡが音量レベル変動量閾値ΔＡｔｈ１以上の場合（ステップ
Ｓ３：Ｎｏ）、音量が大きくなる程度を特定すべく、警告表示データ生成部１３は、音量
レベル変動量ΔＡが音量レベル変動量閾値ΔＡｔｈ２より小さいか否かを判断し（ステッ
プＳ５）、小さい場合（ステップＳ５：Ｙｅｓ）、音量レベル変動量ΔＡｔｈ１に対応し
た警告表示データを取得して映像合成部１４に出力し、第１警告表示Ｇ１を表示する（ス
テップＳ６）。
また音量レベル変動量ΔＡが音量レベル変動量閾値ΔＡｔｈ２以上であり（ステップＳ
５：Ｎｏ）、なおかつ、音量レベル変動量閾値ΔＡｔｈ３より小さい場合には（ステップ
Ｓ７：Ｙｅｓ）、音量レベル変動量ΔＡｔｈ２に対応した警告表示データを取得して映像
合成部１４に出力し、第２警告表示Ｇ２を表示し（ステップＳ８）、音量レベル変動量Δ
Ａが音量レベル変動量閾値ΔＡｔｈ３以上である場合には（ステップＳ７：Ｎｏ）、音量
レベル変動量ΔＡｔｈ３に対応した警告表示データを取得して映像合成部１４に出力し、
第３警告表示Ｇ３を表示する（ステップＳ９）。
【００３８】
以上の処理により、コンテンツを再生している間、出力音量の変動量が音量レベル変動
量閾値ΔＡｔｈ１以上になる場合には、出力音量が大きく変動して突発的に大音量が出力
される前に、図４（Ａ）〜（Ｃ）に示すように、表示装置４の表示画面４Ａに、音量の変
動量に応じた警告表示Ｇ１〜Ｇ３が表示される。
【００３９】
このように、本実施形態によれば、音声バッファ部１１に入力され、一定の再生時間Ｔ
ａ経過後に音声バッファ部１１から出力される音声データ信号Ｄｂの音量を示す音量レベ
ルを検出する音量検出部１２と、この音量検出部１２によって検出された音量レベル検出
信号Ｅに応じて、大音量出力を警告する警告表示Ｇの警告表示データを生成する警告表示
データ生成部１３と、この警告表示データ生成部１３によって生成された警告表示データ
を、該警告表示データの生成の元となった音声データ信号Ｄｂが音声バッファ部１１から
出力されるときよりも先に映像バッファ部１０から出力される映像データ信号Ｄａ１に合
成し映像データ信号Ｄａ２を出力する映像合成部１４とを備える構成とした。
【００４０】
この構成により、再生される音声データ信号Ｄｂの音量レベルが検出され、その音量レ
ベルに応じて大音量出力を警告する警告表示Ｇが、実際に大音量が出力されるよりも前に
表示されるため、大音量出力が事前に視聴者へ視覚を通して通知され、視聴者の精神的・
身体的な苦痛・衝撃を和らげ負担を軽くすることができる。また、再生時の音量を変える
ことがないため、コンテンツの迫力を損なうことがなく、また、突発的な大音量の発生に
不安を抱くことなく安心してコンテンツを鑑賞することができる。
【００４１】
また、本実施形態によれば、警告表示データ生成部１３は、音量検出部１２により検出
された音量レベルに基づいて、音量レベルの所定時間あたりの変動量を示す音量レベル変
動量ΔＡを算出し、この音量レベル変動量ΔＡが所定の音量レベル変動量閾値ΔＡｔｈ１
以上である場合に、警告表示データを生成する構成とした。
この構成によれば、音量の絶対的な値（固定値）ではなく、音量の時間的な変動量に基
づいて上記警告表示Ｇが表示されるため、次のような効果を奏する。
すなわち、一般に、ある程度の大音量でも、小音量から大音量になる時間が長く、比較
的緩やかに音量が変化する場合には、大音量の出力であっても、視聴者が驚くことはない
。したがって、音量の絶対的な値に基づいて警告表示Ｇの有無を判断する構成においては
、大音量出力時には常に警告表示Ｇが行われるため、上記のように、視聴者が驚く事のな
い状況にもかかわらず無駄な警告表示Ｇが行われることとなり、動画の視聴を害する。
これに対して、本実施形態によれば、音量の時間的な変動量に基づいて警告表示Ｇの有
無を決定することで、突発的に音量が大きくなる場合にだけ警告表示が行われるため、動
画の視聴が害されることがない。
【００４２】
また本実施形態によれば、警告表示データ生成部１３は、音量レベル変動量ΔＡの大き
さを識別可能な警告表示Ｇ１〜Ｇ３の警告表示データを音量レベル変動量ΔＡに基づいて
生成する構成とした。このような構成によれば、視聴者は、警告表示Ｇ１〜Ｇ３をみるこ
とで、大音量が出力される事と共に、どの程度の音量が出力されるかを事前に察知ること
ができる。
【００４３】
また本実施形態によれば、音量検出部１２は、音声データ信号Ｄｂの周波数成分と、人
の聴覚の周波数特性を示す聴覚周波数特性データとに基づいて、音声データ信号Ｄｂの音
量レベルを検出する構成としたため、一般的な人の聴覚における周波数特性を反映した音
量レベルが検出され、視聴者が大音量と実際に感じる音量レベルに基づいて、警告表示Ｇ
１〜Ｇ３を出すことができる。
【００４４】
なお、上述した実施の形態は、あくまでも本発明の一態様を示すものであり、本発明の
範囲内で任意に変形および応用が可能である。
（変形例１）
例えば、上述した実施形態において、音量レベル変動量ΔＡの大きさが認識可能な警告
表示Ｇ１〜Ｇ３が、当該音量レベル変動量ΔＡの大きさに応じて表示される構成としたが
、さらに、音量レベル変動量ΔＡが大きくなるにしたがって、例えば、図５（Ａ）〜（Ｃ
）に示すように、警告表示Ｇ１、警告表示Ｇ２、警告表示Ｇ３の順で表示を大きくしたり
、表示画面４Ａの中央側に表示箇所を移動する等して視認性を高める表示を行い、視聴者
が警告表示Ｇに確実に気付くようにしても良い。
【００４５】
（変形例２）
例えば、上述した実施形態において、映像音声処理装置３が、映像データ信号Ｄａ２及
び音声データ信号Ｄｂのそれぞれを表示装置４及び音声出力装置５に出力して、コンテン
ツをリアルタイムに再生する映像音声再生システム１を例示したが、これに限らない。
すなわち、映像音声処理装置３が、映像データ信号Ｄａ２及び音声データ信号Ｄｂのそ
れぞれを、例えばハードディスク／ＤＶＤ録画装置やビデオ録画装置、或いは、パーソナ
ルコンピュータ等の、映像データ信号Ｄａ２及び音声データ信号Ｄｂを記録可能な装置に
出力し、これらの装置によって、映像に警告表示Ｇを付与したコンテンツのデータを記憶
しておき、その後に、表示装置４及び音声出力装置５により、コンテンツを再生するよう
にしても良い。
【００４６】
（変形例３）
また例えば、上述した実施形態において、映像音声処理装置３をコンテンツデータ出力
装置２と別体にした映像音声再生システム１を例示したが、これに限らず、コンテンツデ
ータ出力装置２と映像音声処理装置３とを一体型の装置として構成することも可能であり
、また、映像音声処理装置３と表示装置４又は／および音声出力装置５とを一体型の装置
として構成することも可能である。
【図面の簡単な説明】
【００４７】
【図１】本発明の実施形態に係る映像音声再生システムの構成と共に、映像音声処理装置の機能的構成を示す図。
【図２】音量検出部の機能的構成を示す図。
【図３】音量警告処理のフローチャート。
【図４】警告表示の態様を示す図。
【図５】警告表示のその他の態様を示す図。
【符号の説明】
【００４８】
１…映像音声再生システム、２…コンテンツデータ出力装置、３…映像音声処理装置、
４…表示装置、５…音声出力装置、Ｄａ１、Ｄａ２…映像データ信号、Ｇ、Ｇ１〜Ｇ３…
警告表示、ΔＡｔｈ、ΔＡｔｈ１〜ΔＡｔｈ３…音量レベル変動量閾値、１０…映像バッ
ファ部、１１…音声バッファ部、１２…音量検出部、１３…警告表示データ生成部、１４
…映像合成部、１５…映像出力部、１６…音声出力部、２１…周波数特性テーブル、２４
…ローパスフィルタ、Ｅ…音量レベル検出信号、Ｔａ…一定の再生時間。
【図１】
2008228005.tif 000003
【図２】
2008228005.tif 000004
【図３】
2008228005.tif 000005
【図４】
2008228005.tif 000006
【図５】
2008228005.tif 000007